(57)【要約】      （修正有）【課題】携帯可能な携帯装置の車両搭載用具を提供する。【解決手段】携帯可能な携帯装置の車両搭載用具１００は、車内のオーディオ・ビジュアル機器本体納置溝に配置される搭載道具本体１０と、搭載道具本体１０に結合される電子装置用ソケット２０と、電子装置用ソケット２０に設置される制御パネル３０と、電子装置用ソケット２０に設置される電気プラグ４０とを備える。これにより、使用者が個人的に所有する携帯可能な電子装置５０を電子装置用ソケット２０に固定させて使用したり充電したりすることができる。また、制御パネル３０上で提供される各機能制御ユニット３１により使用する機能の操作が行える。【選択図】図１
0003212859.tif 000002
【実用新案登録請求の範囲】
【請求項１】
車内のオーディオ・ビジュアル機器本体納置溝に配置させる搭載道具本体と、
前記搭載道具本体に結合され、携帯可能な電子装置を収容するためのスロットを有するとともに、視覚の正面には前記電子装置の表示パネルに対応するウィンドウ部が設けられた電子装置用ソケットとで構成され
前記電子装置用ソケットは、
複数の機能制御ユニットが設置された制御パネルと、
前記電子装置の電気プラグ孔に対応する位置に設けられた電気プラグとが備えられた
車両搭載用具。
【請求項２】
前記搭載道具本体は、
オーディオ・ビジュアル機器本体納置溝に嵌合される複数のバックル部材が設けられた
請求項１に記載の車両搭載用具。
【請求項３】
前記電子装置用ソケットは、
台座及び前記台座に組み合わせられる上蓋が備えられた
請求項１又は請求項２に記載の車両搭載用具。
【請求項４】
前記台座にはプラグホルダーが結合され、且つ前記電気プラグは前記プラグホルダーに組み合わせられるように構成された
請求項３に記載の車両搭載用具。
【請求項５】
前記台座は、
左右両側に前記プラグホルダーを配置させて組み合わせるための結合孔及びケーブル孔がそれぞれ設けられた
請求項４に記載の車両搭載用具。
【請求項６】
前記プラグホルダーは、
プッシュ部材が設けられた
請求項４又は請求項５に記載の車両搭載用具。
【請求項７】
前記電気プラグは、信号制御ボックスに電気的に接続され、
前記信号制御ボックスは、
カースピーカーに接続される第一相互接続プラグ及び前記制御パネルに接続される第二相互接続プラグが備えられた
請求項１乃至請求項６のいずれかに記載の車両搭載用具。
【請求項８】
前記信号制御ボックスは、
自動車のハンドル制御ボタンに接続される第三相互接続プラグが備えられた
請求項７に記載の車両搭載用具。
【請求項９】
前記制御パネルが、タッチパネルで構成された
請求項１乃至請求項８のいずれかに記載の車両搭載用具。
【請求項１０】
前記機能制御ユニットは、
オーディオ・ビジュアル機能制御ユニットが備えられた
請求項１乃至請求項９のいずれかに記載の車両搭載用具。
【考案の詳細な説明】
【技術分野】
【０００１】
本考案は、車両搭載用具に関し、より詳しくは、タブレット端末またはスマートフォン等の携帯可能な電子装置を搭載できるとともに、車内のオーディオ・ビジュアル機器本体ソケットに設置される車両搭載用具であり、標準装備のカーオーディオ・ビジュアル機器本体搭載道具と代替する車両搭載用具に関する。
【背景技術】
【０００２】
全ての自動車の車内にはオーディオ・ビジュアル機器本体が搭載されており、使用者が乗車中に使用できるようになっている。このオーディオ・ビジュアル機器本体が具備する機能及び操作方式は科学技術の進歩に合わせて日進月歩の進化を続けており、制御パネルも初期のつまみやボタンから現在のタッチ操作可能な液晶スクリーンに進化し、提供する機能も日々増えている。
【考案の概要】
【考案が解決しようとする課題】
【０００３】
しかしながら、前述した従来の技術では、すなわち、当初から自動車に装備されているオーディオ・ビジュアル機器本体に内蔵されている機能には相当な制限があり、外付け拡張方式によりカーオーナーが必要な機能を増加させることはできるが、特に必要としない限り、多くのカーオーナーは標準装備のカーオーディオ・ビジュアル機器本体が提供する機能で我慢している。その一方で、多くのカーオーナーは乗車中に、機能が豊富で拡張性が高く、ソフトウェアの更新速度が早いタブレット端末またはスマートフォンを、有線または無線接続方式によりカースピーカーに接続させてオーディオ・ビジュアルメディアの再生、ナビゲーション、及び通話等の機能を利用している。
【０００４】
このように、多くの車両に標準搭載されているオーディオ・ビジュアル機器本体は機能が限られており、カーオーナーの需要を満たせていない状況で、使用されずに無駄になっている。一方で、カーオーナーがタブレット端末またはスマートフォンを選択して代替させる場合、タブレット端末またはスマートフォンは通常専用の固定フレームまたは固定台座が標準装備のカーオーディオ・ビジュアル機器本体周囲或いはフロントガラスに貼り付けて設置されているが、この方式は、堅牢性に優れずに脱落するという問題があり、設置される位置によっては運転中のドライバーの視線を妨げて危険であるという問題もある。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、携帯可能な電子装置の車両搭載用具を提供することを主目的とする。すなわち、標準装備のカーオーディオ・ビジュアル機器本体搭載道具を代替させ、タブレット端末またはスマートフォン等の携帯可能な電子装置を搭載可能にする革新的な車両搭載用具であり、使用者が個人所有の携帯可能な電子装置を車両搭載用具に固定させて、携帯可能な電子装置が具備する、或いはインストールされた各機能、例えば、オーディオ・ビジュアル再生機能、ナビゲーション、通話等の機能を使用可能にする。また、専用の固定フレームや固定台座を用いずに、携帯可能な電子装置を車内またはフロントガラスに結合できる。
【課題を解決するための手段】
【０００７】
上述した課題を解決し、目的を達成するために、本考案に係る携帯可能な電子装置の車両搭載用具は、車内のオーディオ・ビジュアル機器本体納置溝に配置させる搭載道具本体と、前記搭載道具本体に結合され、携帯可能な電子装置を収容するためのスロットを有するとともに、視覚の正面には前記電子装置の表示パネルに対応するウィンドウ部が設けられた電子装置用ソケットとで構成され、前記電子装置用ソケットは、複数の機能制御ユニットが設置された制御パネルと、前記電子装置の電気プラグ孔に対応する位置に設けられた電気プラグとが備えられた。
【０００８】
この構成によれば、本考案に係る車両搭載用具は、使用者が個人的に所有する携帯可能な電子装置を電子装置用ソケットに固定させて使用したり充電したりできるとともに、制御パネル上で提供される各機能制御ユニットにより使用する機能の操作が行える。
【０００９】
好ましくは、前記搭載道具本体は、オーディオ・ビジュアル機器本体納置溝に嵌合される複数のバックル部材が設けられてもよい。
【００１０】
好ましくは、前記電子装置用ソケットは、台座及び前記台座に組み合わせられる上蓋が備えられてもよい。また、前記台座にはプラグホルダーが結合され、且つ前記電気プラグは前記プラグホルダーに組み合わせられるように構成してもよい。
【００１１】
好ましくは、前記台座は、左右両側に前記プラグホルダーを配置させて組み合わせるための結合孔及びケーブル孔がそれぞれ設けてもよい。
【００１２】
好ましくは、前記プラグホルダーは、プッシュ部材が設けられてもよい。
【００１３】
好ましくは、前記電気プラグは、信号制御ボックスに電気的に接続され、前記信号制御ボックスは、カースピーカーに接続される第一相互接続プラグ及び前記制御パネルに接続される第二相互接続プラグが備えられてもよい。
【００１４】
好ましくは、前記信号制御ボックスは、自動車のハンドル制御ボタンに接続される第三相互接続プラグが備えられてもよい。
【００１５】
好ましくは、前記制御パネルが、タッチパネルで構成されてもよい。
【００１６】
好ましくは、前記機能制御ユニットは、オーディオ・ビジュアル機能制御ユニットが備えられてもよい。例えば、前記機能制御ユニットは、音量制御及びメディア再生の制御等に用いられる。
【考案の効果】
【００１７】
本考案によれば、使用者は個人的に所有している携帯可能な電子装置を電子装置用ソケットに固定させて使用したり充電したりすることができる。また、制御パネル上で提供される各機能制御ユニットを利用して使用する機能の操作が可能になる。
【図面の簡単な説明】
【００１８】
【図１】本考案の一実施形態に係る車両搭載用具を示す外観斜視図。
【図２】本考案の車両搭載用具に携帯可能な電子装置を組み合わせた斜視図。
【図３】本考案の車両搭載用具を示す斜視の展開図。
【図４】本考案の車両搭載用具の台座構成を示す概略図。
【図５】本考案の車両搭載用具のプラグホルダーを示す斜視の概略図。
【図６】本考案の車両搭載用具のプラグホルダーを示す平面の概略図。
【図７】本考案の携帯可能な携帯装置の車両搭載用具の電子組立を示す概略図。
【考案を実施するための形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００２０】
以下、本考案の具体的な実施形態を図１〜７に基づいて説明する。  
本考案の車両搭載用具１００は、車内のオーディオ・ビジュアル機器本体納置部に配置される搭載道具本体１０と、搭載道具本体１０に結合される電子装置用ソケット２０と、電子装置用ソケット２０に設置される制御パネル３０と、電子装置用ソケット２０に設置される電気プラグ４０とを主に備える（図１、図２及び図３参照）。
【００２１】
搭載道具本体１０は複数のバックル部材１１を有し、バックル部材１１は車内のオーディオ・ビジュアル機器本体納置溝に嵌合される。すなわち、車両に標準搭載されるオーディオ・ビジュアル機器本体搭載道具が取り外された後、バックル部材１１をオーディオ・ビジュアル機器本体納置溝と対応するように配置して、嵌合することにより、搭載道具本体１０をオーディオ・ビジュアル機器本体納置部に設置できる。これにより、搭載道具本体１０を標準装備のカーオーディオ・ビジュアル機器本体搭載道具を代替させることができる。
【００２２】
搭載道具本体１０に結合された電子装置用ソケット２０は、台座２０１と、台座２０１に組み合わせられる上蓋２０２とで構成され、携帯可能な電子装置５０を収容するためのスロット２１を有する。また、電子装置用ソケット２０の視覚の正面には携帯可能な電子装置５０の表示パネル５１に対応されるウィンドウ部２２が設けられている。前述の携帯可能な電子装置５０はタブレット端末またはスマートフォンであり、電子装置用ソケット２０及びスロット２１のサイズは適用されるタブレット端末またはスマートフォンの機種のサイズに合わせて設計される。
【００２３】
電子装置用ソケット２０に設置された制御パネル３０はタッチパネルであり、また複数の機能制御ユニット３１が設けられている。この機能制御ユニット３１は各オーディオ・ビジュアル機能制御ユニットが備えられ、例えば、音量制御やメディア再生の制御等に用いられる。さらには、各種の走行に関する機能が統合される機能制御ユニットを備え、例えば、車内温度の制御、ライトの制御、警告灯の制御等に用いられる。本実施形態の具体的な例において、オーディオ・ビジュアル機能制御ユニットは、再生機能ボタン３１１と、音量増加ボタン３１２と、音量ダウンボタン３１３と、送りボタン３１４と、戻しボタン３１５とを有する。
【００２４】
電気プラグ４０は電子装置用ソケット２０に設置されると共に電子装置５０の電気プラグ孔に対応される位置に配置されている。この電気プラグ４０は、電子装置用ソケット２０のスロット２１内に挿入された電子装置５０の電気プラグ孔内に挿入されることで、電子装置５０の充電や信号伝送機能が提供される。
【００２５】
本実施形態に係る電子装置用ソケット２０のスロット２１の開口部は、図２を示すように、左ハンドル車両での使用に適合するように右側に設置されている。しかしながら、他の実施においては、右ハンドル車両での使用に適合するように、スロット２１の開口部が左側に設置されるように変更されてもよい。また、図３及び図４を示すように、左ハンドル車両及び右ハンドル車両での使用に適合させるために、電子装置用ソケット２０の台座２０１には左右両側にプラグホルダー２３を配置させるための結合孔２０３及びケーブル孔２０４がそれぞれ設けられ、また電気プラグ４０はプラグホルダー２３に組み合わせられるとともに台座２０１に結合される。この構成により、プラグホルダー２３及び電気プラグ４０は左ハンドルまたは右ハンドルでの使用に合わせて、台座２０１の左側或いは右側を選択して結合させることができる。また、上蓋２０２は電気プラグ４０の配置位置に合わせて、回転して設置することで、スロット２１の開口部及び電気プラグ４０が同一側に位置しないようにできる。
【００２６】
また、図４、図５及び図６を示すように、電子装置用ソケット２０に設置されるプラグホルダー２３にはプッシュ部材２４が設けられている。プッシュ部材２４は、電子装置５０の電気プラグ孔が電気プラグ４０に挿入されて接続されることで、電子装置５０により図６の実線で示す位置まで押されるため、プッシュ部材２４は部分的に電子装置用ソケット２０の外側に露出される。例えば、使用者が電子装置５０を電子装置用ソケット２０内から取り出す場合、プッシュ部材２４を内に向けて図６の破線で示す位置まで押すことで、電子装置５０が電子装置用ソケット２０のスロット２１から外に一定距離飛び出し、且つ携帯可能な電子装置５０が電気プラグ４０から脱離される。これにより、使用者は携帯可能な電子装置５０をスロット内から簡単に取り出せる。
【００２７】
なお、本考案に係る携帯可能な電子装置５０における車両搭載用具１００の電子配設部分は、図７を示すように、電気プラグ４０が信号制御ボックス６０に電気的に接続される。信号制御ボックス６０はカースピーカーに接続される第一相互接続プラグ６１及び制御パネル３０に接続される第二相互接続プラグ６２を有する。また、カースピーカーは第一相互接続プラグ６１に相互に接続されるプラグ７１を有し、電子装置５０により再生される音源信号がカースピーカーから出力される。制御パネル３０は第二相互接続プラグ６２に相互に接続されるプラグ７２を有し、使用者により制御パネル３０の何れか１つのオーディオ・ビジュアル機能制御ユニット（すなわち、再生機能ボタン３１１、音量増加ボタン３１２、音量ダウンボタン３１３、送りボタン３１４、及び戻しボタン３１５）が押された後に、電子装置５０に対する機能の制御が行われる。
【００２８】
また、本実施の形態において、信号制御ボックス６０は自動車のハンドル制御ボタンに接続される第三相互接続プラグ６４を更に有する。自動車のハンドル制御ボタンは第三相互接続プラグ６４に相互に接続されるプラグ７４を有し、使用者により自動車のハンドルの対応する機能の制御ボタンが押されることで、電子装置５０に対する機能の制御が行われる。
【００２９】
上述の実施形態によると、本考案に係る車両搭載用具１００は携帯可能な電子装置５０を搭載させるために使用され、使用者は個人所有する電子装置５０を電子装置用ソケット２０に固定させることで使用したり充電したりすることができ、且つ制御パネル３０上で提供される各機能制御ユニットを利用して使用する機能の操作を行うことができる。
【００３０】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００３１】
１００ 車両搭載用具
１０ 搭載道具本体
１１ バックル部材
２０ 電子装置用ソケット
２０１ 台座２０１
２０２ 上蓋２０２
２０３ 結合孔
２０４ ケーブル孔
２１ スロット
２２ ウィンドウ部
２３ プラグホルダー
２４ プッシュ部材
３０ 制御パネル
３１ 機能制御ユニット
３１１ 再生機能ボタン
３１２ 音量増加ボタン
３１３ 音量ダウンボタン
３１４ 送りボタン
３１５ 戻しボタン
４０ 電気プラグ
５０電子装置
５１ 表示パネル
６０ 信号制御ボックス
プラグ６１ 第一相互接続
プラグ６２ 第二相互接続
プラグ６３ 第三相互接続
７１ プラグ
７２ プラグ
７３ プラグ
７４ プラグ
【図１】
0003212859.tif 000003
【図２】
0003212859.tif 000004
【図３】
0003212859.tif 000005
【図４】
0003212859.tif 000006
【図５】
0003212859.tif 000007
【図６】
0003212859.tif 000008
【図７】
0003212859.tif 000009